(57)【特許請求の範囲】
【請求項１】
撮像装置より送信される撮影に関する撮影信号に基づいて前記撮像装置にて連続撮影が行われたか否かを判定する判定手段と、
前記判定手段により連続撮影が行われたと判定され、前記連続撮影に係るすべての画像を取得する前に前記連続撮影とは異なる次の撮影が行われると、前記連続撮影に係る画像よりも前記次の撮影の画像を優先的に取得する取得手段と、
前記取得手段で取得された画像を表示装置に表示させる表示手段と、
を有する画像確認装置。
【請求項２】
前記取得手段は、前記判定手段で連続撮影が行なわれたと判定された場合、前記撮像装置より送信される撮影に関する撮影信号に応じた画像転送要求の送信を制御することで前記次の撮影の画像を優先的に取得する、請求項１記載の画像確認装置。
【請求項３】
前記表示手段は、前記連続撮影に係る画像と、単独撮影に係る画像と、を区別可能に前記表示装置に表示する、請求項１又は２記載の画像確認装置。
【請求項４】
前記取得手段は、前記連続撮影に係る画像のうち少なくとも一部の画像を取得する前に前記次の撮影の画像を取得することにより、前記次の撮影の画像を優先的に取得する、請求項１乃至３何れか１項記載の画像確認装置。
【請求項５】
前記取得手段は、前記次の撮影が行われていないと判定された場合、前記少なくとも一部の画像を、前記撮像装置より取得する、請求項４記載の画像確認装置。
【請求項６】
前記表示手段は、前記一部の画像が取得された場合、前記少なくとも一部の画像を連続切替表示させる、請求項５記載の画像確認装置。
【請求項７】
前記表示手段は、前記表示装置に表示されている前記連続撮影に係る画像が選択された場合、前記選択された連続撮影に係る複数の画像に対応する画像情報を表示し、
前記取得手段は、一の画像情報が選択された場合、前記選択された画像情報に対応する画像を前記撮像装置より取得する、請求項１乃至６何れか１項記載の画像確認装置。
【請求項８】
撮像装置より送信される撮影に関する撮影信号に基づいて前記撮像装置にて連続撮影が行われたか否かを判定する判定ステップと、
前記撮像装置にて連続撮影が行われたと判定され、前記連続撮影に係るすべての画像を取得する前に前記連続撮影とは異なる次の撮影が行われると、前記連続撮影に係る画像よりも前記次の撮影の画像を優先的に取得する取得ステップと、
前記取得ステップにおいて取得した画像を表示装置に表示する表示ステップと、
を含む画像表示方法。
【請求項９】
コンピュータに、
撮像装置より送信される撮影に関する撮影信号に基づいて前記撮像装置にて連続撮影が行われたか否かを判定する判定ステップと、
前記撮像装置にて連続撮影が行われたと判定され、前記連続撮影に係るすべての画像を取得する前に前記連続撮影とは異なる次の撮影が行われると、前記連続撮影に係る画像よりも前記次の撮影の画像を優先的に取得する取得ステップと、
前記取得ステップにおいて取得した画像を表示装置に表示する表示ステップと、
を実行させるためのプログラム。
【発明の詳細な説明】
【技術分野】
【０００１】
本発明は、画像確認装置に関する。
【背景技術】
【０００２】
撮像装置にて撮影した画像が所望の通り撮影されたかどうかを確認したり、撮影済みの複数画像を一覧表示して所望の画像を選択したりすることを画像確認と呼ぶ。
従来、画像確認方法としては、撮像装置に組み込まれた画面を用いる方法が一般的であった。しかし、撮像装置に組み込まれた画面は画面サイズが小さく、撮影した画像を詳細に確認するには十分ではなかった。そこで、撮像装置にて撮影した画像を撮像装置外部の情報処理端末に順次転送し、転送先の情報処理端末で利用する大画面で画像を確認する方法があった（例えば特許文献１参照）。
【先行技術文献】
【特許文献】
【０００３】
【特許文献１】特開２００６−１８０４０３号公報
【発明の概要】
【発明が解決しようとする課題】
【０００４】
しかしながら特許文献１では、連続撮影した画像が順次転送されるため、連続撮影した後に、異なるシーンを撮影した画像をすぐに確認することができない問題があった。これは、連続撮影の間隔よりも撮像装置から情報処理端末に画像を転送する時間が長くかかるためである。よって、連続撮影が多ければ多いほど、次のシーンの画像を確認可能になるまでの待ち時間が長くなる問題があった。
【０００５】
本発明はこのような問題点に鑑みなされたもので、撮像装置において連続撮影が行なわれた場合もユーザーが速やかに画像の確認をすることができるようにすることを目的とする。
【課題を解決するための手段】
【０００６】
そこで、本発明の画像確認装置は、撮像装置より送信される撮影に関する撮影信号に基づいて前記撮像装置にて連続撮影が行われたか否かを判定する判定手段と、前記判定手段により連続撮影が行われたと判定され、前記連続撮影に係るすべての画像を取得する前に前記連続撮影とは異なる次の撮影が行われると、前記連続撮影に係る画像よりも前記次の撮影の画像を優先的に取得する取得手段と、前記取得手段で取得された画像を表示装置に表示させる表示手段と、を有する。
【発明の効果】
【０００７】
本発明によれば、撮像装置において連続撮影が行なわれた場合もユーザーが速やかに画像の確認をすることができる。
【図面の簡単な説明】
【０００８】
【図１】撮影画像確認装置のハードウェア構成の一例を示す図である。
【図２】撮影画像確認装置の機能構成等の一例を示す図である。
【図３】ユーザーインターフェイスを説明するための図である。
【図４】単独撮影時の画像取得シーケンスの一例を示す図である。
【図５】連続撮影時の画像取得シーケンスの一例を示す図である。
【図６】連続撮影判定に関する処理の一例を示すフローチャートである。
【図７】連続撮影時の画像一覧表示の一例を示す図である。
【図８】連続撮影の画像取得時の画像一覧表示の一例を示した図である。
【図９】代表画像を選択する際の画像一覧表示の一例を示す図である。
【発明を実施するための形態】
【０００９】
以下、本発明の実施形態について図面に基づいて説明する。
【００１０】
＜実施形態１＞
本実施形態の撮影画像確認装置（コンピュータ）のハードウェア構成の一例を、図１を参照して説明する。図１は、撮影画像確認装置のハードウェア構成の一例を示す図である。なお、撮影画像確認装置は単一のコンピュータで実現してもよいし、必要に応じた複数のコンピュータに各機能を分散して実現するようにしてもよい。撮影画像確認装置が複数のコンピュータで構成される場合は、互いに通信可能なようにＬｏｃａｌ  Ａｒｅａ  Ｎｅｔｗｏｒｋ（ＬＡＮ）等で接続されている。
【００１１】
図１において、ＣＰＵ（Ｃｅｎｔｒａｌ  Ｐｒｏｃｅｓｓｉｎｇ  Ｕｎｉｔ）１０１は、撮影画像確認装置２２０全体を制御する。ＲＯＭ（Ｒｅａｄ  Ｏｎｌｙ  Ｍｅｍｏｒｙ）１０２は、変更を必要としないプログラムやパラメータを格納する。ＲＡＭ（Ｒａｎｄｏｍ  Ａｃｃｅｓｓ  Ｍｅｍｏｒｙ）１０３は、外部装置等から供給されるプログラムやデータを一時記憶する。外部記憶装置１０４は、撮影画像確認装置２２０に固定して設置されたハードディスクやメモリカード、或いは撮影画像確認装置２２０から着脱可能なフレキシブルディスク（ＦＤ）やＣｏｍｐａｃｔ  Ｄｉｓｋ（ＣＤ）等の光ディスク、メモリカード等である。入力デバイスインタフェース１０５は、ユーザーの操作を受け、データを入力するポインティングデバイスやキーボード１０９等の入力デバイスとのインタフェイスである。ディスプレイインタフェース１０６は、撮影画像確認装置２２０の保持するデータや供給されたデータを表示するためのモニタ１１０とのインタフェイスである。ネットワークインタフェイス１０７は、インターネット１１１等のネットワーク回線に接続するためのインタフェイスである。システムバス１０８は、１０１〜１０７の各ユニットを通信可能に接続するバスである。
ＣＰＵ１０１がプログラムに基づき処理を実行することによって、後述する撮影画像確認装置２２０の機能及びフローチャートに係る処理が実現される。
【００１２】
次に、システム及びシステムを構成する装置の機能構成について図２を用いて説明する。図２は、撮影画像確認装置の機能構成等の一例を示す図である。図２に示されるように、本実施形態に係るシステムは、撮像装置２１０と撮影画像確認装置２２０とから構成される。撮像装置２１０と撮影画像確認装置２２０とはネットワークによって接続される。例えば、撮像装置２１０と撮影画像確認装置２２０とはＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）で接続される。また、通信プロトコルとしてＰＴＰ（Ｐｉｃｔｕｒｅ  Ｔｒａｎｓｆｅｒ  Ｐｒｏｔｏｃｏｌ）やＰＴＰ／ＩＰ（Ｐｉｃｔｕｒｅ  Ｔｒａｎｓｖｅｒ  Ｐｒｏｔｏｃｏｌ／Ｉｎｔｅｒｎｅｔ  Ｐｒｏｔｏｃｏｌ）が用いられるものとする。なお撮像装置２１０と撮影画像確認装置２２０とは有線で接続されても無線で接続されてもよい。
【００１３】
撮像装置２１０は、撮影信号通知部２１１と画像送信部２１２とを機能構成として有する。撮影信号通知部２１１は、撮像装置２１０で撮影を行ったことを撮影信号として、撮像装置２１０の外部装置に通知する機能を有する。
画像送信部２１２は、撮像装置２１０で撮影された画像を外部装置に対して送信する機能を有する。画像送信部２１２は、外部装置からの画像転送要求を受けて、画像転送要求の送信元である外部装置に対して、画像転送要求に合致した画像（画像データ）を転送する。
【００１４】
撮影画像確認装置２２０は、撮像装置２１０と通信を行うにあたり、撮影信号取得部２２１、画像取得部２２２、画像取得タイミング調整部２２３を機能構成として有する。
撮影信号取得部２２１は、撮影画像確認装置２２０に接続された撮像装置２１０から送信される撮影信号を取得する機能を有する。撮影画像確認装置２２０は、撮影信号取得部２２１で撮影信号を取得することで、撮影画像確認装置２２０に接続された撮像装置２１０で撮影が行われたことを検知する。画像取得部２２２は、撮影画像確認装置２２０に接続された撮像装置２１０にて撮影された画像を取得する機能を有する。画像取得部２２２は、まず撮影信号取得部２２１で得た撮影信号を基に、撮像装置２１０に対して画像転送要求を送信する。そして、画像取得部２２２は、その要求に応じて転送されてくる画像を受信する。画像取得タイミング調整部２２３は、撮影信号取得部２２１に短時間で撮影信号が連続して通知された場合に、すべての撮影信号に応じて画像転送要求を出さないように、画像転送要求の送信を制御する機能を有する。
【００１５】
また、撮影画像確認装置２２０は、操作者に画像を表示するにあたり、画像一覧表示部２２４、連続切替表示部２２５、画像表示方法切替部２２６、連続撮影判定部２３０、代表画像選択候補抽出部２２８、代表画像管理部２２９を機能構成として有する。
画像一覧表示部２２４は、撮像装置２１０で撮影され、撮影画像確認装置２２０に転送された画像を、ユーザーインターフェイス２２７を介して一覧表示する機能を有する。連続切替表示部２２５は、グループ化された複数の画像を一定間隔で表示を切り替えてユーザーインターフェイス２２７を介して表示する機能を有する。画像表示方法切替部２２６は、画像一覧表示と連続切替表示とを状況に応じて切り替える機能を有する。
連続撮影判定部２３０は、撮影信号取得部２２１に送信されてくる撮影信号の間隔を、撮影信号到着間隔測定部２３１で監視して、指定された間隔よりも短い間隔で転送されてきた撮影信号を、連続撮影されたものと判定してグループ化する。また、連続撮影判定部２３０は、前述の方法によって連続撮影グループにまとめられた画像の撮影パラメータを、撮影パラメータ取得部２３２で取得して、撮影パラメータ比較部２３３で撮影パラメータの変更を判断して、更にグループを分ける。また同様に連続撮影判定部２３０は、連続撮影グループにまとめられた画像をシーン判定部２３４で解析して、シーン判定を行ってシーンが異なっていた場合には更にグループを分けることを行う。
代表画像選択候補抽出部２２８は、連続切替表示部２２５によって連続切替表示が行われている画像グループの画像が指定されると、指定された画像を含む複数枚の画像を代表画像選択候補として、抽出する機能を有する。代表画像管理部２２９は、連続撮影判定部２３０で判定された画像グループの中で、その画像グループの中で最も有用であると判断された画像を管理する機能を有する。
【００１６】
更に、撮影画像確認装置２２０は、上記処理結果を利用者（ユーザー）に表示する、及び、ユーザーからの画面を介した入力等を受け付ける、ユーザーインターフェイス２２７を機能構成として有する。ユーザーインターフェイス２２７について図３を用いて説明する。図３は、ユーザーインターフェイスを説明するための図である。
ユーザーインターフェイス２２７によってモニタ１１０に表示される画面は、撮像装置一覧表示領域３０１、画像ヒストグラム表示領域３０２、撮影パラメータ一覧表示領域３０３、画像メイン表示領域３０４、画像サブ表示領域３０５を有する。また、ユーザーインターフェイス２２７によってモニタ１１０に表示される画面は、撮影業務操作領域３０６、画像評価領域３０７、画像一覧表示領域３０８を更に有する。
撮像装置一覧表示領域３０１では、撮影画像確認装置２２０と関連付けられている撮像装置の一覧が表示される。ここで撮像装置一覧表示領域３０１では、撮像装置の一覧に加えて、各撮像装置で撮影された画像の枚数が表示される。また、撮像装置一覧表示領域３０１では、撮影画像確認装置と接続されているかどうかについて、接続状態と切断状態との表現が変えられ、明示される。
【００１７】
画像ヒストグラム表示領域３０２では、画像メイン表示領域３０４に表示されている画像のヒストグラムが表示される。
撮影パラメータ一覧表示領域３０３では、画像メイン表示領域３０４に表示されている画像の撮影時の撮影パラメータが表示される。
画像メイン表示領域３０４では、画像一覧表示領域３０８から選択された１つの画像が表示される。画像の表示方法としては、画像の全体表示（以降フィット表示とする）と画像の部分領域を等倍で表示する等倍表示とがある。また、撮影を行った際には、画像メイン表示領域３０４の表示は撮影された最新画像に変更することができる。
画像サブ表示領域３０５では、画像メイン表示領域３０４で表示された画像の一部領域、例えば人物が写っている場合には、顔領域のみを表示することができる。また、画像サブ表示領域３０５では、画像メイン表示領域３０４が等倍表示を行っている際には、画像メイン表示部が表示している画像の全体像が表示される。
撮影業務操作領域３０６の撮影業務操作部等を操作することで、ユーザーは、撮影の終了及び中断を指示することができる。
【００１８】
画像評価領域３０７の画像評価部等を押下等することで、ユーザーは、撮影者が顧客に見せたくない画像を評価０にしたり、次のセレクト＆プレゼンテーション業務で是非利用したい画像を評価３にしたりすることができる。図３では評価レベルを０〜３の４段階としているが、必要／不必要の２段階であっても、０〜５までの６段階評価であってもよい。
画像一覧表示領域３０８では、撮影業務中に撮影された画像の一覧が表示される。新たに撮影が行われた場合は、画像一覧の最後尾に撮影された最新画像が追加される。ユーザーは、撮像装置一覧表示領域３０１に表示された撮像装置を選択することで、その撮像装置で撮影した画像の表示／非表示を変更することもできる。また、撮像装置一覧表示領域３０１では、画像を小領域に表示したサムネイル画像、画像評価領域３０７の画像評価部等で評価した結果の評価情報、撮影業務操作領域３０６の撮影業務操作部等で編集を指示した場合の編集依頼情報、任意の画像番号が表示される。
【００１９】
次に、単独撮影が行なわれた場合に、撮像装置２１０と撮影画像確認装置２２０との間で行われる画像取得について図４を用いて説明する。図４は、単独撮影時の画像取得シーケンスの一例を示す図である。
撮像装置２１０にてレリーズされ撮影が行われる（４０１）。ここで本実施形態において、リレーズとは、撮像装置２１０のシャッターが押されたことを意味するものとする。撮影が行われたことを撮影画像確認装置２２０に伝えるために、撮影信号通知部２１１は、撮像装置２１０から撮影画像確認装置２２０に対して撮影信号を通知する（４０２）。
撮影画像確認装置２２０の撮影信号取得部２２１は、撮影信号を受信する。そして、撮影画像確認装置２２０の画像取得部２２２は、撮像装置２１０に対して、撮影信号に対応した画像の転送要求を出す（４０３）。撮像装置２１０の画像送信部２１２は、４０３の転送要求に応じて、撮影画像確認装置２２０に画像を転送する（４０４）。撮影画像確認装置２２０の画像取得部２２２は、４０４で送信された画像を受信する。そして、撮影画像確認装置２２０のユーザーインターフェイス２２７は、画像一覧表示部２２４からの指示等に基づいて受信された画像を画像一覧表示領域３０８に一覧表示する（４０５）。
【００２０】
次に連続撮影した場合に撮像装置２１０と撮影画像確認装置２２０との間で行われる画像取得について図５を用いて説明する。図５は、連続撮影時の画像取得シーケンスの一例を示す図である。
撮像装置２１０にて連続撮影が行われると５０１のループが繰り返される。５０１のループ内では、撮像装置２１０によるレリーズがｎ回行われる（５０２）。ここでは、説明の都合上ｎ番目にレリーズされたものをレリーズｎと表現する。撮像装置２１０にてレリーズｎを行った後、レリーズｎに対応した撮影信号ｎが撮影信号通知部２１１より撮影画像確認装置２２０に通知される（５０３）。撮影画像確認装置２２０は撮影信号取得部２２１で撮影信号ｎを受信する。そして、連続撮影判定部２３０が撮影信号に基づいて連続撮影が行われているのかを判定する処理を行う（５０４）。連続撮影の判定では、まず連続撮影判定部２３０内の撮影信号到着間隔測定部２３１で、受信した撮影信号と直前に受信した撮影信号との時間差を測定する。測定した時間差が事前に設定されていた時間よりも短かった場合に、連続撮影判定部２３０は、撮像装置２１０にて連続撮影が行われたと判定（判断）する。
【００２１】
連続撮影判定部２３０で連続撮影が行われたと判断された場合、画像取得タイミング調整部２２３は、撮影信号ｎに対応した画像を取得するタイミングを調整する。例えば、画像取得タイミング調整部２２３は、最初に撮影された撮影信号１に対応する画像のみを取得し、連続撮影された残りの複数画像はすぐには取得しないように画像取得タイミングを調整する。このようにタイミングを調整した結果、画像取得部２２２から撮像装置２１０に対して、撮影信号１に対応した画像１の転送要求を出す（５０６）。それを受けて撮像装置２１０の画像送信部２１２は、画像１を撮影画像確認装置２２０に転送する（５０７）。撮影画像確認装置２２０の画像取得部２２２は、５０７で転送された画像１を受信する。そして、画像一覧表示部２２４等からの指示に基づきユーザーインターフェイス２２７が、画像一覧表示領域３０８に画像１を表示する（５０８）。
【００２２】
５０５にて画像取得タイミングを調整したことで、連続撮影を行ったすべての画像が撮像装置２１０から撮影画像確認装置２２０に転送されていない。この未転送の画像の取り扱いについて説明する。未転送の画像については、条件分岐５０９にて処理の状況を変える（撮影判定）。５０９における条件は、５０１にて連続撮影が行われた後に、次のレリーズまでに空き時間があるか、というものである。
次のレリーズまでに空き時間がある場合、つまり撮影画像確認装置２２０に撮影信号が通知されずに、撮影画像確認装置２２０が待機状態である場合の処理を説明する。待機時間の場合（待機時間であると判定した場合）、画像取得タイミング調整部２２３等の調整に応じて画像取得部２２２から、ｎ番目の撮影信号である撮影信号ｎに対する画像ｎの取得要求を撮像装置２１０に送信する（５１１）。それを受けて撮像装置２１０の画像送信部２１２から撮影画像確認装置２２０に画像を転送する。画像取得部２２２は、前記転送された画像を受信する（５１２）。この処理を５１０のループで繰り返し、撮影画像確認装置２２０は、すべての画像を取得する。全画像の取得が完了したならば、例えば連続切替表示部２２５からの指示に基づきユーザーインターフェイス２２７が、画像表示方法を一覧表示から連続切替表示へと切り替える（５１３）。５１３にて表示方法が切り替えたので、連続切替表示部２２５からの指示に基づきユーザーインターフェイス２２７は、一連の連続撮影によって撮影された画像を連続切替表示する（５１４）。なお、５１０のループ中に撮像装置２１０にて撮影が行われ、新たな撮影信号が撮影画像確認装置２２０に通知された場合、撮影画像確認装置２２０は、５１０のループを中断し、条件分岐５０９に戻る。
【００２３】
連続撮影後に一連のすべての画像を取得する前に撮像装置２１０にて撮影が行われていた場合について説明する。連続撮影後に５１０のループですべての画像が取得し終わる前に、撮像装置２１０で次シーンの撮影が行われる（５１５）。ここでは説明のため、５１５にて行われた撮影のレリーズをレリーズＸと表現する。その後、レリーズＸを通知するために撮像装置２１０の撮影信号通知部２１１は、撮影画像確認装置２２０に対してレリーズＸに対応した撮影信号Ｘを通知する（５１６）。５１６にて送信された撮影信号Ｘを撮影画像確認装置２２０は、撮影信号取得部２２１で受信する。すると例えば画像取得タイミング調整部２２３は、連続撮影された画像よりも優先的に、撮影信号Ｘに対応する画像Ｘを取得するよう調整する。調整に応じて画像取得部２２２は、撮像装置２１０に対して画像Ｘの転送要求を送信する（５１７）。５１７の通知を受けた撮像装置２１０の画像送信部２１２は、画像Ｘを撮影画像確認装置２２０に送信する（５１８）。５１８にて送信された画像Ｘを撮影画像確認装置２２０の画像取得部２２２が受信する。そして、画像一覧表示部２２４からの指示に基づきユーザーインターフェイス２２７が、取得された画像Ｘを一覧表示する（５１９）。
【００２４】
連続撮影が行われた後に再び連続撮影が行われた場合について説明する。最初の連続撮影を連続撮影Ａとし、その後に行われた連続撮影を連続撮影Ｂとする。連続撮影Ａが行われると、撮影画像確認装置２２０は、連続撮影Ａの１枚目の画像のみを取得する。その後、画像取得タイミング調整部２２３の調整によって連続撮影Ａの残り画像の取得は一時中断される。次に連続撮影Ｂが行われるので、連続撮影Ａのときと同様に、撮影画像確認装置２２０は、連続撮影Ｂの１枚目の画像のみを取得する。
その後、撮影画像確認装置２２０が待機状態になったと仮定する。そうすると画像取得タイミング調整部２２３は、連続撮影Ａの残り画像をまず取得し、その後に連続撮影Ｂの残り画像を取得するよう画像取得部２２２の画像取得の処理を調整する。つまり、連続撮影Ａと連続撮影Ｂとが続けて行われた場合、撮影画像確認装置２２０は、連続撮影Ａの１枚目、連続撮影Ｂの１枚目、連続撮影Ａの２枚目以降の画像すべて、連続撮影Ｂの２枚目以降の画像すべて、の順番で画像を取得する。
【００２５】
次に、連続撮影判定に関する処理の一例について図６を用いて説明する。図６は、連続撮影判定に関する処理の一例を示すフローチャートである。
連続撮影判定部２３０は、まず連続撮影グループを作成する（Ｓ６０１）。ここでは説明のために作成した連続撮影グループを連続撮影グループＸとする。連続撮影判定部２３０は、連続撮影グループＸを作成後、撮像装置２１０から送信される撮影信号の受信を待つ（Ｓ６０２）。撮影信号通知部２１１から送信された撮影信号が撮影信号取得部２２１で受信される（Ｓ６０３）。
撮影信号取得部２２１より撮影信号を受信した旨の通知を受けた、撮影信号到着間隔測定部２３１は、前回受信した撮影信号からどれぐらいの時間が経過しているのかを測定する。連続撮影判定部２３０は、その経過時間が事前に設定された時間よりも経過しているかどうかを判断する（Ｓ６０４）。事前に設定された時間よりも短い場合、連続撮影判定部２３０は、受信信号を連続撮影候補として連続撮影グループＸに追加する（Ｓ６０５）。その後、連続撮影判定部２３０は、撮影信号の通知を待つためにＳ６０２へと戻る。Ｓ６０４にて事前に設定された時間よりも長い場合、連続撮影判定部２３０は、連続撮影グループＸへの連続撮影候補の追加を中止する（Ｓ６０６）。その後、画像取得部２２２は、連続撮影判定部２３０からの要求等に基づいて連続撮影グループＸに含まれる撮影信号に基づいて連続撮影候補の画像を撮像装置より取得する（Ｓ６０７）。そして、画像取得部２２２は、連続撮影候補すべての画像を取得したかを判断する（Ｓ６０８）。すべて取得済みであると判断された場合、連続撮影判定部２３０は、連続撮影候補から連続撮影グループを確定させる処理を行っていく。取得していない画像が有ると判断した場合、画像取得部２２２は、全画像を取得するまで画像取得処理を繰り返す。
【００２６】
次に、連続撮影判定部２３０は、撮影パラメータの変化によって連続撮影かどうかを判断する。まず、連続撮影判定部２３０は、パラメータ比較終了フラグを持つ連続撮影グループが有るかをチェックする（Ｓ６０９）。チェックの結果、パラメータ比較終了フラグが有る連続撮影グループについて連続撮影判定部２３０は、シーン判定処理を行なう。パラメータ比較終了フラグが無いグループについて連続撮影判定部２３０は、そのまま処理を継続する。パラメータ比較の処理では、連続撮影判定部２３０は、対象画像Ｎとその次の画像Ｎ＋１との撮影パラメータを撮影パラメータ取得部２３２で取得し、撮影パラメータ比較部２３３で比較する（Ｓ６１０）。その結果、同じである場合、連続撮影判定部２３０は、何も処理を行わずに次の画像を処理する。パラメータが異なった場合、連続撮影判定部２３０は、現在の連続撮影グループＸにパラメータ比較終了フラグを設定する（Ｓ６１１）。そして、連続撮影判定部２３０は、新たに連続撮影グループＹを作成する（Ｓ６１２）。更に、連続撮影判定部２３０は、作成した連続撮影グループＹに画像Ｎ＋１以降の画像をすべて移動して、現在の連続撮影グループにする（Ｓ６１３）。Ｓ６１３の後、連続撮影判定部２３０は、Ｓ６０９にて再度パラメータ比較終了フラグが有るかをチェックする。すると、連続撮影グループＸはパラメータ比較終了フラグが有るので、連続撮影判定部２３０は、シーン判定処理を行なう。連続撮影グループＹにはまだパラメータ比較終了フラグがないために連続撮影判定部２３０は、撮影パラメータ比較を継続する。
【００２７】
同様に連続撮影判定部２３０は、シーン判定処理も行う。まず、シーン判定部２３４は、シーン比較終了フラグを持つ連続撮影グループが有るかをチェックする（Ｓ６１４）。チェックの結果、シーン比較終了フラグが有る連続撮影グループについてシーン判定部２３４は、判定処理を終了する。無いグループについてシーン判定部２３４は、そのまま処理を継続する。シーン比較の処理では、対象画像Ｍとその次の画像Ｍ＋１とのシーンをシーン判定部２３４で比較する。（Ｓ６１５）。シーン比較の処理は既存の方法を用いて行う。その結果、同じである場合、シーン判定部２３４は、何も処理を行わずに次の画像を処理する。シーンが異なった場合、シーン判定部２３４は、現在の連続撮影グループＸにシーン比較終了フラグを設定する（Ｓ６１６）。そして、シーン判定部２３４は、新たに連続撮影グループＺを作成する（Ｓ６１７）。更に、シーン判定部２３４は、作成した連続撮影グループＺに画像Ｍ＋１以降の画像をすべて移動して、現在の連続撮影グループにする（Ｓ６１８）。Ｓ６１８の後、シーン判定部２３４は、Ｓ６１４にて再度シーン比較終了フラグが有るかをチェックする。すると、連続撮影グループＸはシーン比較終了フラグが有るので、シーン判定部２３４は、判定処理を終了する。連続撮影グループＺにはまだシーン比較終了フラグがないためにシーン判定部２３４は、撮影シーン比較を継続する。
【００２８】
なお、連続撮影判定部２３０は、撮影信号の到着間隔、撮影パラメータの変化、シーンの変化によって連続撮影グループの判定を行うよう説明を行なったが、３つの判定は必須であるわけではない。例えばユーザーは、画面を介して上記３つの判定それぞれについて、実施の有無を選択できるものとする。
【００２９】
次に連続撮影時の撮影画像確認装置２２０における画像一覧表示について図７を用いて説明する。図７は、連続撮影時の画像一覧表示の一例を示す図である。従来、撮影画像確認装置では、単独撮影された画像と連続撮影された画像とを区別無く表示していた。そのため、図７の（ａ）に示すような限られた画像一覧表示領域内をほぼ同じような画像が埋め尽くしてしまうという問題があった。そこで本実施形態の撮影画像確認装置２２０は、単独撮影された画像と連続撮影された画像とを前述の連続撮影判定の処理によって分離し、分けて表示する（区別可能に表示する）ことで上記問題を解消している。より具体的に説明すると、本実施形態の撮影画像確認装置２２０は、図７の（ｂ）で示すように画像を表示する。図７の（ｂ）では、連続撮影された複数画像７０１は、単独撮影された画像とは異なった表示形式で表示されている。ここでは、画像が複数枚重なっている状態を示している。なお、複数画像７０１の表示状態では、連続撮影された画像がすべて取得できていない状態も合わせて示している。連続撮影された画像がすべて取得できた場合には、図７の（ｃ）で示す表示形態を取る。より具体的に説明すると、ユーザーインターフェイス２２７は、連続撮影グループを示すアイコン７０２を画像の下に表示し、画像表示領域７０３では連続撮影グループに属する複数画像を連続切替表示する。撮影画像確認装置２２０が連続切替表示することで、ユーザーは、連続撮影したものと単独撮影をしたものとを同一の表示領域で明確に分離することができる。同時に、撮影画像確認装置２２０が連続撮影された画像についても撮影順に表示することで、ユーザーは、連続撮影した画像群の中から所望の画像を選択する際にも選択しやすくなる。
【００３０】
なお、説明では画像一覧表示を横方向に１列で表現しているが撮影画像確認装置２２０は、画像一覧を縦で表示するようにしてもよいし、タイル状に並んで表示するようにしてもよい。同様に７０１では画像が重なった用に表現されているが、これは単独画像と連続撮影された画像とを分けることが目的である。そのため撮影画像確認装置２２０は、画像が重なった表現以外であっても、単独画像と連続撮影された画像とが区別できるように表現されていれば他の表示方法で表示するようにしてもよい。また、７０２のアイコンに関しても撮影画像確認装置２２０は、アイコンの形状、アイコンの表示位置をこの説明の例以外の箇所に表示するようにしてもよい。
【００３１】
次に連続撮影時に連続撮影された画像を取得する際の撮影画像確認装置２２０における画像一覧表示について図８を用いて説明する。図８は、連続撮影の画像取得時の画像一覧表示の一例を示した図である。図８の（ａ）に連続撮影された複数画像が展開された状態を示す。図７の（ｂ）に示した画面から図８の（ａ）に示した画面に変更するには、例えばユーザーは、８０１で示す連続撮影された画像グループとして表示されている画像をクリックする等の方法がある。８１０では、連続撮影された複数画像が撮影順に表示されている。図８の（ａ）では、連続撮影された後に継続して撮影が行われ、連続撮影された画像は８１１に示す最初の１枚しか取得できていないことを示している。撮影画像確認装置２２０は、撮影信号を受信したことで、撮影が行われたことは認識できるので、撮影信号を受信し、かつ、画像未取得の場合は、８１２に示すように画像情報の一例として黒い領域（黒い画像、又は矩形情報）を表示する。８１２で示した黒い領域は、撮影画像確認装置２２０が、前記領域に対応する撮影信号の画像を取得した段階で実際の画像に切り替えられる。
【００３２】
連続撮影が行なわれた場合、本実施形態の撮影画像確認装置２２０は、特別な指示がない限り、撮影信号を受信していない待機状態のときに、残りの画像を撮像装置より取得する。しかし、ユーザーが、連続撮影の最後のほうに良い撮影ができたという認識が有った場合、最後の画像まで転送されてくるのを待っていると多くの時間がかかってしまう。そこで、ユーザーは、例えば、８０２のように黒い領域を選択する。画像取得タイミング調整部２２３は、このユーザーの選択操作（ユーザー操作）に基づいて、選択された黒い領域に該当する撮影信号を画像取得部２２２に通知する。そして、画像取得部２２２は、前記撮影信号に基づいて撮像装置より優先的に前記黒い領域に対応する画像を取得することができる。図８の（ｂ）では、８０２で示す画像が選択されている。これによって８０２に該当する撮影信号が画像取得タイミング調整部２２３より画像取得部２２２に通知され、他の未取得画像よりも優先的に前記黒い領域に対応する画像を取得する。このことで、図８の（ｃ）に示すように、８０３で示すように８０３より順番が前の画像よりも８０３を早く表示することができる。
【００３３】
次に、連続撮影グループから代表画像を選択する際の撮影画像確認装置２２０における画像一覧表示について図９を用いて説明する。図９は、代表画像を選択する際の画像一覧表示の一例を示す図である。
撮像装置２１０からすべての画像を取得された画像グループに関して、撮影画像確認装置２２０は、表示領域中の９０１において連続切替表示を行っている。ユーザーは、連続切替表示で表示されている撮影した画像を確認中に、所望の画像が表示されたタイミングで画像を指定する。指定方法は、例えば画像をクリックする等の方法があるが、これに限定されるものではない。画像が指定されると代表画像選択候補抽出部２２８は、指定された画像を含む前後数枚の画像を抽出し、ユーザーインターフェイス２２７を介して９１０として表示する。ユーザーは、９１０で表示された画像の中から連続撮影グループの中の代表画像を選択する。選択方法は、例えば画像をクリックする等の方法があるが、これに限定されるものではない。ユーザーが９１１を代表画像に選択すると、画像表示方法切替部２２６は、代表画像選択候補を表示していた９１０を表示しないよう制御し、表示方法を切り替える。例えば、画像表示方法切替部２２６は、９０１には代表画像のみが一覧表示するようにする。また、代表画像管理部２２９は、代表画像として選択された９１１を管理する。
【００３４】
本実施形態によれば、撮像装置で連続撮影が行なわれた際には画像の取得を調整することで、連続撮影を行った画像よりも次のシーン等の画像を優先的に取得することができる。つまり、連続撮影後に撮影したシーンの画像を確認する際に、画像転送による待ち時間を軽減することができる。加えて本実施形態によれば、連続撮影後に撮影したシーンの画像を確認し、それを踏まえて更に次の撮影を行うことができるため、撮影全体にかかる時間も短縮できる。
また、本実施形態によれば、撮像装置で連続撮影された複数の画像を連続切替表示する。つまり、本実施形態によれば、連続撮影された類似画像をすべて一覧表示しない。また、本実施形態によれば、連続撮影された類似画像群を連続切替表示している際に、所望の画像が得られそうな任意のタイミングで連続切替表示を中断し、その近傍の画像を選択候補としてユーザーに提示することができる。そのため、ユーザーは、連続撮影時に多くの類似画像の中から所望の画像を得られそうな少量の画像に候補を絞り込むことが可能となる。これによって、利用者は連続撮影を行った後に生じる必要画像の抽出時間を短縮することができる。
【００３５】
＜その他の実施形態＞
なお、本発明は、上述した実施形態の機能を、装置の中央演算処理手段（ＣＰＵ）が、ソフトウェアのプログラムコードを記憶媒体から読み出して実行することで実現することができる。更に、読み出したプログラムコードの指示に基づき、オペレーティングシステム（ＯＳ）等が実際の処理の一部又は全部を行うことで上述した実施形態の機能が実現される場合も上述した実施形態に含まれる。
【００３６】
以上、上述した実施形態によれば、撮像装置において連続撮影が行なわれた場合もユーザーが速やかに画像の確認をすることができる。
【００３７】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３８】
１０１  ＣＰＵ
【図１】
0005451363.tif 000002
【図２】
0005451363.tif 000003
【図３】
0005451363.tif 000004
【図４】
0005451363.tif 000005
【図５】
0005451363.tif 000006
【図６】
0005451363.tif 000007
【図７】
0005451363.tif 000008
【図８】
0005451363.tif 000009
【図９】
0005451363.tif 000010